(57)【要約】【課題】画像メモリヘの画像データ書き込みと、液晶表示パネルのフレーム走査の速度の不整合を軽減することが可能な、画像メモリを内蔵する駆動手段を有する液晶表示装置を提供する。【解決手段】液晶表示パネルに表示される表示画像の画像データが格納される画像メモリを有し、当該画像メモリに格納された画像データに基づき映像信号電圧を液晶表示パネルに供給する駆動手段とを備え、画像メモリが第１のメモリおよび第２のメモリから構成され、駆動手段が、転送される画像データを、１フレーム単位に第１のメモリ、又は第２のメモリに交互に書き込む書込手段と、第１のメモリが画像データの書き込み中の時に第２のメモリから画像データを読み出し、又は第２のメモリが画像データの書き込み中の時に第１のメモリから画像データを読み出す読出手段とを有する。【選択図】        図１
2004191793.tif 000002
【特許請求の範囲】
【請求項１】
液晶表示パネルと、
前記液晶表示パネルに表示される表示画像の画像データが格納される画像メモリを有し、当該画像メモリに格納された画像データに基づき映像信号電圧を前記液晶表示パネルに供給する駆動手段とを備える液晶表示装置であって、
前記画像メモリは、第１のメモリおよび第２のメモリから構成され、
前記駆動手段は、転送される画像データを、１フレーム単位に前記第１のメモリあるいは前記第２のメモリに交互に書き込む書込手段と、
前記第１のメモリが、前記画像データの書き込み中の時に前記第２のメモリから画像データを読み出し、あるいは、前記第２のメモリが、前記画像データの書き込み中の時に前記第１のメモリから画像データを読み出す読出手段とを有することを特徴とする液晶表示装置。
【請求項２】
前記第１のメモリおよび前記第２のメモリは、単一のメモリ素子で構成されることを特徴とする請求項１に記載の液晶表示装置。
【請求項３】
前記第１のメモリは、第１のメモリ素子で構成され、前記第２のメモリは、前記第１のメモリ素子とは異なる第２のメモリ素子で構成されることを特徴とする請求項１に記載の液晶表示装置。
【請求項４】
液晶表示パネルと、
前記液晶表示パネルに表示される表示画像の画像データが格納される画像メモリを有し、当該画像メモリに格納された画像データに基づき映像信号電圧を前記液晶表示パネルに供給する駆動手段とを備える液晶表示装置であって、
前記画像メモリは、第１のメモリと、第２のメモリと、第３のメモリとから構成され、
前記駆動手段は、転送される画像データの上位ビットを、１フレーム単位に前記第１のメモリあるいは前記第２のメモリに交互に書き込むとともに、転送される画像データの下位ビットを前記第３のメモリに書き込む書込手段と、
前記第１のメモリが、前記画像データの書き込み中の時に前記第２のメモリから画像データの上位ビットを読み出すとともに、前記第３のメモリから画像データの下位ビットを読み出し、あるいは、前記第２のメモリが、前記画像データの書き込み中の時に前記第１のメモリから画像データの上位ビットを読み出すとともに、前記第３のメモリから画像データの下位ビットを読み出す読出手段とを有することを特徴とする液晶表示装置。
【請求項５】
前記第１のメモリ、前記第２のメモリ、並びに、前記第３メモリは、単一のメモリ素子で構成されることを特徴とする請求項４に記載の液晶表示装置。
【請求項６】
前記第１のメモリおよび前記第３のメモリは、単一の第１のメモリ素子で構成され、前記２のメモリは、前記第１のメモリ素子とは異なる第２のメモリ素子で構成されることを特徴とする請求項４に記載の液晶表示装置。
【請求項７】
前記画像データは、撮像素子で撮影された画像データであることを特徴とする請求項１ないし請求項６のいずれか１項に記載の液晶表示装置。
【発明の詳細な説明】
【０００１】
【発明の属する技術分野】
本発明は、撮像素子を搭載する携帯機器（例えば、携帯電話機）などに搭載される液晶表示装置に係わり、特に、撮像素子で撮影された動画像を表示する際に有効な技術に関する。
【０００２】
【従来の技術】
ＴＦＴ（Thin Film Transistor）方式の液晶表示モジュールであって、画素数が、例えば、カラー表示で１００×１５０×３程度の小型の液晶表示パネルを有する液晶表示モジュールは、例えば、携帯電話機などの携帯機器の表示部として広く使用されている。
また、近年、携帯電話機は、図７に示すように、撮像素子を搭載したものが多数市販されている（非特許文献参照）。なお、図７において、４０は撮像素子（例えば、ＣＭＯＳ型個体撮像素子、あるいは、ＣＣＤ型個体撮像素子）、１０は液晶表示パネルである。
撮像素子を搭載する携帯電話機用の液晶モジュールのシステム構成の一例を、図８に示す。
【０００３】
図８において、点線枠が液晶表示モジュール（ＬＣＭ）を示し、この液晶表示モジュールは、ＴＦＴ方式の液晶表示パネル１０と、電源ＩＣ（２０）とを有する。
また、液晶表示パネルを構成する一方の基板（例えば、ガラス基板）が、他方の基板よりも幅広に形成され、この一方の基板上に、ドレインドライバ１１と、ゲートドライバ１２とが形成される。
ここで、ドレインドライバ１１は画像メモリ１５を有し、かつ、ドレインドライバ１１には、タイミングコントローラ（Tcon）が内蔵される。
さらに、ドレインドライバ１１は、バスライン５０を介して、マイクロプロセッサ（ＭＰＵ；Microprocessing Unit）３０と、撮像素子４０が接続される。
このように、図８に示す液晶表示モジュールでは、ドレインドライバ１１が画像メモリ１５を有し、この画像メモリ１５には、液晶表示パネル１０に表示される表示画像の画像データが格納される。
そして、ドレインドライバ１１は、液晶表示パネル１０に表示される表示画像の書き換えがないときには、画像メモリ１５に格納された画像データに基づいた出力電圧を液晶表示パネル１０に供給する。
つまり、図８に示す液晶表示モジュールでは、液晶表示パネル１０に静止画像を表示する場合に、外部から画像データをドレインドライバ１１に供給する必要が無いので、その分だけ消費電力を低減することができる。
【０００４】
なお、本願発明に関連する先行技術文献情報としては以下のものがある。
【特許文献１】
特開平６−１９６６１号公報
【特許文献２】
特開平９−６２９４号公報
【非特許文献】
「一億総カメラ化計画」，“日経エレクトロニクス”，日経ＢＰ社，2002年10月，no.832，p.107-127
【０００５】
【発明が解決しようとする課題】
前述の図８に示す液晶表示モジュールにおいて、撮像素子４０で撮像された画像データは、撮像素子４０から順次画像メモリ１５に転送される。
ここで、撮像素子４０で撮像する撮像対象物体が移動する移動物体の場合は、液晶表示パネル１０には、動画像が表示されることになる。
しかしながら、液晶表示パネル１０に、撮像素子４０で撮像された画像動データを表示する場合に、撮像素子４０から画像メモリ１５への画像データの転送周期と、液晶表示パネル１０の走査ライン周期（１フレーム周期）とが同期していない場合には、液晶表示パネル１０に表示される表示画像に切れ目が入る場合あった。
液晶モジュールヘの画像データの転送周期と、液晶表示パネル１０の走査ライン周期を同期させれば、本質的に転送周期ずれによる画像切れが起きることはない。
しかしながら、現在の技術水準の標準的な値として、画像データの転送周期が毎秒１５フレーム以下に対して、液晶表示パネル１０の走査ライン周期は毎秒５０フレーム以上であり、同期させるためには、図１１に示すように、一旦、撮像素子４０から転送される画像データを貯え、液晶表示パネル１０の走査ライン周期で液晶表示パネル１０に画像データを転送するグラフィックコントローラ６０が必要になる。
【０００６】
図１１に示す方式では、高速に画像処理する能力を有するグラフィックコントローラ６０が必要となり、コスト増、消費電力増をまねく蓋然性が高い。
本発明は、前記従来技術の問題点を解決するためになされたものであり、本発明の目的は、画像メモリを内蔵する駆動手段を有する液晶表示装置において、画像メモリヘの画像データ書き込みと、液晶表示パネルのフレーム走査の速度の不整合を軽減することが可能となる技術を提供することにある。
本発明の前記ならびにその他の目的と新規な特徴は、本明細書の記述及び添付図面によって明らかにする。
【０００７】
【課題を解決するための手段】
本願において開示される発明のうち、代表的なものの概要を簡単に説明すれば、下記の通りである。
本発明は、画像メモリを内蔵する駆動手段を有する液晶表示装置において、駆動手段内に、第１の画像メモリと第２の画像メモリとを設け、２画面分の画像データ格納することを最も主要な特徴とする。
即ち、本発明では、例えば、奇数フレームでは、１フレーム単位の画像データを、第１の画像メモリに書き込み、この間に、第２の画像メモリに格納された画像データを読み出して、当該画像データに基づく画像を液晶表示パネルに表示する。そして、第１の画像メモリに奇数フレームの画像データの書き込みが終了した後、次の偶数フレームでは、１フレーム単位の画像データを第２の画像メモリに書き込み、また、液晶表示パネルのラインが次のフレームに移るときには、第１の画像メモリに格納された画像データを読み出して、当該画像データに基づく画像を液晶表示パネルに表示する。
これにより、本発明では、撮像素子から画像メモリへの画像データの転送周期と、液晶表示パネルの走査ライン周期（１フレーム周期）とが同期していない場合でも、液晶表示パネルに表示される表示画像に切れ目が入るのを防止することが可能となる。
【０００８】
また、本発明は、画像メモリを内蔵する駆動手段を有する液晶表示装置において、駆動手段内に、第１の画像メモリと、第２の画像メモリと、第３の画像メモリを設け、２画面分の画像データ格納することを最も主要な特徴とする。
即ち、本発明では、例えば、奇数フレームでは、１フレーム単位の画像データの上位ビットを第１の画像メモリに、および、１フレーム単位の画像データの下位ビットを第３の画像メモリに書き込み、この間に、第２の画像メモリに格納された画像データの上位ビットと、第３の画像メモリに格納された画像データの下位ビットを読み出して、当該画像データに基づく画像を液晶表示パネルに表示する。そして、第１の画像メモリに画像データの上位ビットの書き込みが終了した後、次の偶数フレームでは、１フレーム単位の画像データの上位ビットを第２の画像メモリに、および、１フレーム単位の画像データの下位ビットを第３の画像メモリに書き込み、また、液晶表示パネルのラインが次のフレームに移るときには、第１の画像メモリに格納された画像データの上位ビットと、第３の画像メモリに格納された画像データの下位ビットを読み出して、当該画像データに基づく画像を液晶表示パネルに表示する。
これにより、本発明では、撮像素子から画像メモリへの画像データの転送周期と、液晶表示パネルの走査ライン周期（１フレーム周期）とが同期していない場合でも、液晶表示パネルに表示される表示画像に切れ目が入るのを低減することが可能となる。
【０００９】
【発明の実施の形態】
以下、図面を参照して本発明の実施の形態を詳細に説明する。
なお、実施の形態を説明するための全図において、同一機能を有するものは同一符号を付け、その繰り返しの説明は省略する。
［実施の形態１］
図１は、本発明の実施の形態１の液晶表示モジュールのシステム構成を示すブロック図である。
図１において、点線枠が液晶表示モジュール（ＬＣＭ）を示し、本実施の形態の液晶表示モジュールも、ＴＦＴ方式の液晶表示パネル１０と、電源ＩＣ（２０）とを有する。
ここで、液晶表示パネル１０は、画素電極、薄膜トランジスタ（ＴＦＴ）等が形成される一方の基板（例えば、ガラス基板から成り、ＴＦＴ基板とも呼ぶ。）と、対向電極、カラーフィルタ等が形成される他方の基板（例えば、ガラス基板から成り、フィルタ基板とも呼ぶ。）とを、所定の間隙を隔てて重ね合わせ、該両基板間の周縁部近傍に枠状に設けたシール材により、両基板を貼り合わせると共に、シール材の一部に設けた液晶封入口から両基板間のシール材の内側に液晶を封入、封止し、さらに、両基板の外側に偏光板を貼り付けて構成される。なお、液晶表示パネル１０の構造は、従来のものと同じであるので、液晶表示パネル１０の図示は省略するが、液晶表示パネル１０は、例えば、カラー表示で、１２８×１６０×３の画素で構成される。
【００１０】
また、一方の基板（ＴＦＴ基板）上には、半導体チップ（ＩＣ）で構成されるドレインドライバ１１と、ゲートドライバ１２とが搭載される。
ドレインドライバ１１は、バスライン５０を介して、マイクロプロセッサ（ＭＰＵ；Microprocessing Unit）３０と、撮像素子４０が接続される。
ドレインドライバ１１は画像メモリ（１６，１７）を有し、ドレインドライバ１１は、この画像メモリ（１６，１７）に格納された画像データに基づく映像信号電圧を、ドレイン信号線（図示せず）を介して各画素に映像信号電圧を供給する。
また、ドレインドライバ１１には、タイミングコントローラ（Tcon）が内蔵され、このタイミングコントローラ（Tcon）からの制御信号が、ゲートドライバ１２に供給され、ゲートドライバ１２は、１ライン走査時間毎に、順次液晶表示パネル１０の各ゲート信号線（図示せず）に正（あるいは負）のバイアス電圧を印加し、これにより、液晶表示パネル１０の各ゲート信号線（図示せず）に、ゲート電極が接続された複数の薄膜トランジスタ（ＴＦＴ）が、１ライン走査時間の間導通する。
なお、液晶表示パネル１０後側（あるいは、表示面と反対側）には、バックライトユニットが配置されるが、このバックライトユニットの構造も従来と同じであるので、バックライトユニットの図示も省略する。
さらに、ドレインドライバ１１に内蔵されたタイミングコントローラ（Tcon）からの制御信号は、電源ＩＣ（２０）にも供給され、電源ＩＣ（２０）の動作が制御される。
【００１１】
図１に示すように、本実施の形態では、第１の画像メモリ１６と第２の画像メモリ１７とを設け、２画面分の画像データ格納することを最も主要な特徴とする。
ここで、第１の画像メモリ１６と第２の画像メモリ１７は、それぞれ単一の半導体メモリ素子であってもよく、あるいは、単一の半導体メモリ素子をアドレス空間上で分割したものでもよい。
以下、本実施の形態において、液晶表示パネル１０に、撮像素子４０で撮像された画像動データを表示する場合の動作を説明する。
本実施の形態では、第１の画像メモリ１６に、撮像素子４０から転送される画像データで、１フレーム単位の画像データを、第１の画像メモリ１６に書き込み、この間に、第２の画像メモリ１７に格納された画像データを読み出して、当該画像データに基づく画像を液晶表示パネル１０に表示する。
そして、第１の画像メモリ１６に画像データの書き込みが終了した後、撮像素子４０から転送される画像データで、１フレーム単位の画像データを第２の画像メモリ１７に書き込み、また、液晶表示パネル１０のラインが次のフレームに移るときに、第１の画像メモリ１６に格納された画像データを読み出して、当該画像データに基づく画像を液晶表示パネル１０に表示する。
これにより、本実施の形態では、撮像素子４０から画像メモリ（１６，１７）への画像データの転送周期と、液晶表示パネル１０の走査ライン周期（即ち、１フレーム周期）とが同期していない場合でも、液晶表示パネル１０に表示される表示画像に切れ目が入るのを防止することが可能となる。
【００１２】
以下、図８に示す液晶表示モジュールにおいて、撮像素子４０から画像メモリ１５への画像データの転送周期と、液晶表示パネル１０の走査ライン周期（即ち、１フレーム周期）とが同期していない場合に、液晶表示パネル１０に表示される表示画像に切れ目が入る理由を説明する。
図９は、図８に示す液晶表示モジュールにおいて、撮像素子４０から画像メモリ１５に転送される動画像データの転送状態を示す図である。
この図９は、撮像素子４０から転送される画像データの、画像メモリ１５への書き込み状態を表しており、図９において、１は、撮像対象となる移動物体を模式的に示し、長方形の小さな白色の四角２は、その位置まで動画像データが転送中であることを表す。
図９では、図９（ａ）〜図９（ｂ）において、画像メモリ１５に対するｍ番目のフレームの動画像データの転送が終了し、図９（ｃ）〜図９（ｇ）において、画像メモリ１５に対する（ｍ＋１）番目のフレームの動画像データの転送が終了し、図９（ｈ）において、画像メモリ１５に対する（ｍ＋２）番目のフレームの動画像データの転送が始まっていることを示し、この間、移動物体１は、図９の矢印Ａ方向に移動している。
【００１３】
図１０は、図８に示す液晶表示モジュールにおいて、液晶表示パネル１０のライン走査状態を示す図である。
この図１０は、画像メモリ１５に格納された画像データの読み出し状態を表しており、図１０において、３は、液晶表示パネル１０に表示される表示画像を模式的に示しており、矢印４は、液晶表示パネル１０の走査中のライン位置を示す。
なお、図１０（ａ）〜図１０（ｈ）は、画像メモリ１５から画像データを読み出し、液晶表示パネル１０のそれぞれのフレームにおけるライン走査の位置を表している。
図９（ｆ）に示すように、画像メモリ１５に格納される移動物体１の画像データの前半部分は、（ｍ＋１）番目のフレームの画像データであり、後半部分は、ｍ番目のフレームの画像データであるため、図１０（ｆ）、図１０（ｇ）に示すフレーム走査では、液晶表示パネル１０に表示される表示画像３に、切り目が入ることになる。
【００１４】
図２は、本実施の形態の液晶表示モジュールにおいて、撮像素子４０から画像メモリ（１６，１７）に転送される動画像データの転送状態を示す図である。
この図２は、撮像素子４０から転送される画像データの、第１の画像メモリ１６、あるいは、第２の画像メモリ１７への書き込み状態を表しており、図２においても、１は、撮像対象となる移動物体を模式的に示し、長方形の小さな白色の四角２は、その位置まで動画像データが転送中であることを表す。
図２では、図２（ａ）〜図２（ｂ）において、例えば、第１の画像メモリ１６に対するｍ番目のフレームの動画像データの転送が終了し、図２（ｃ）〜図２（ｇ）において、第２の画像メモリ１７に対する（ｍ＋１）番目のフレームの動画像データの転送が終了し、図２（ｈ）において、第１の画像メモリ１６に対する（ｍ＋２）番目のフレームに連続する第３フレームの動画像データの転送が始まっていることを示している。
【００１５】
図３は、本実施の形態の液晶表示モジュールにおいて、液晶表示パネル１０のライン走査状態を示す図である。
この図３は、第１の画像メモリ１６、あるいは、第２の画像メモリ１７に格納された画像データの読み出し状態を表しており、図３においても、３は、液晶表示パネル１０に表示される表示画像を模式的に示しており、矢印４は、液晶表示パネル１０の水平ラインの走査中の位置を示す。
図３では、図３（ａ）〜図３（ｂ）において、例えば、第２のメモリ１７から画像データを読み出し、それぞれフレームのライン走査が行われ、図３（ｃ）〜図３（ｇ）において、第１のメモリ１６から画像データを読み出し、それぞれのフレームのライン走査が行われ、図３（ｆ）において、第２のメモリ１７から画像データを読み出し、フレームのライン走査が行われることを示している。
図３（ｆ）、図３（ｇ）に示すように、本実施の形態では、液晶表示パネル１０に表示される表示画像３に、図１０（ｆ）、図１０（ｇ）に示したような、切り目が入ることがない。
【００１６】
このように、本実施の形態では、ｍ番目のフレームの動画像の画像データを、一方の画像メモリ（例えば、第１の画像メモリ１６）に書き込み、その間は、他方の画像メモリ（例えば、第２の画像メモリ１７）から画像データを読み出して、液晶表示パネル１０のライン走査を行い、一方の画像メモリに対する画像データの書き込みが終了した後に、（ｍ＋１）番目のフレームの動画像の画像データを、他方の画像メモリ（例えば、第２の画像メモリ１７）に書き込み、その間は、一方の画像メモリ（例えば、第１の画像メモリ１６）から画像データを読み出して、液晶表示パネル１０のライン走査を行う。
本実施の形態の方式によれば、現在の技術水準の標準的な値として、画像データの転送周期が毎秒１５フレーム以下に対して、液晶表示パネル１０のライン走査周期が毎秒５０フレーム以上であって、画像データの転送周期と液晶表示パネル１０のライン走査周期とが同期されていなくても、液晶表示パネル１０に表示される表示画像に切れ目が入ることがない。
【００１７】
［実施の形態２］
図４は、本発明の実施の形態２の液晶表示モジュールのシステム構成を示すブロック図である。
本実施の形態の液晶表示モジュールは、第１の画像メモリ１６と第２の画像メモリ１７と、第３の画像メモリ１８を設けた点で、前述の実施の形態１と相違する。以下、本実施の形態について、前述の実施の形態１との相違点を中心に説明する。
第１の画像メモリ１６と第２の画像メモリ１７とには、液晶表示モジュールに転送される１フレーム単位の画像データの上位ビットが交互に格納され、また、液晶表示モジュールに転送される１フレーム単位の画像データの下位ビットは第３のメモリ１８に格納される。
前述実施の形態１のように、ドレインドライバ内に、２画面の全画像データの容量を有する画像メモリ（１６，１７）を内蔵する場合は、画像メモリのサイズが大きくなり、コストアップ、実装面積の不足などが問題になることも考えられる。
【００１８】
そこで、本実施の形態では、２画面目の画像メモリ（第１の画像メモリ１６、第２の画像メモリ１７）に格納される画像データの容量を、各画素（Ｒ、Ｇ、Ｂ）の上位ビット（画像データの１ビットないし全量の半分）にとどめ、そして、下位ビット（画像データの前述した上位ビット以外のビット）の画像データについては、同じ画像メモリ（第３の画像メモリ１８）に格納する。
ここで、第１の画像メモリ１６と第２の画像メモリ１７と第３の画像メモリ１８は、それぞれ単一の半導体メモリ素子であってもよく、また、第１の画像メモリ１６および第３の画像メモリ１８と、第２の画像メモリ１７とは、それぞれ単一の半導体メモリ素子であってもよく、あるいは、第１の画像メモリ１６と第２の画像メモリ１７と第３の画像メモリ１８は、半導体メモリ素子をアドレス空間上で分割したものでもよい。
【００１９】
以下、本実施の形態において、液晶表示パネル１０に、撮像素子４０で撮像された画像動データを表示する場合の動作を説明する。
本実施の形態では、第１の画像メモリ１６に、撮像素子４０から転送される画像データで、１フレーム単位の画像データの上位ビットを第１の画像メモリ１６に、および、画像データの下位ビットを第３の画像メモリ１８に書き込み、この間に、第２の画像メモリ１７に格納された画像データの上位ビット、および、第３の画像メモリ１８に格納された画像データの下位ビットを読み出して、当該画像データに基づく画像を液晶表示パネル１０に表示する。
そして、第１の画像メモリ１６に画像データの上位ビットの書き込みが終了した後、撮像素子４０から転送される画像データで、１フレーム単位の画像データの上位ビットを第２の画像メモリ１７に、および、画像データの下位ビットを第３の画像メモリ１８に書き込み、また、液晶表示パネル１０のライン走査が次のフレームに移るときに、第１の画像メモリ１６に格納された画像データの上位ビット、および、第３の画像メモリ１８に格納された画像データの下位ビットを読み出して、当該画像データに基づく画像を液晶表示パネル１０に表示する。
これにより、本実施の形態では、撮像素子４０から画像メモリ（１６，１７，１８）への画像データの転送周期と、液晶表示パネル１０の走査ライン周期（即ち、１フレーム周期）とが同期していない場合でも、液晶表示パネル１０に表示される表示画像の切れ目を目立たなくすることが可能となる。
【００２０】
図５は、本実施の形態の液晶表示モジュールにおいて、撮像素子４０から画像メモリ（１６〜１８）に転送される動画像データの転送状態を示す図である。
この図５は、撮像素子４０から転送される画像データの、第１の画像メモリ１６なしい第３の画像メモリ１８への書き込み状態を表しており、図５においても、１は、撮像対象となる移動物体を模式的に示し、長方形の小さな白色の四角２は、その位置まで動画像データが転送中であることを表す。
図５では、図５（ａ）〜図５（ｂ）において、例えば、第１の画像メモリ１６に対するｍ番目のフレームの動画像データの上位ビット、および、第３の画像メモリ１８に対するｍ番目のフレームの動画像データの下位ビットの転送が終了し、図５（ｃ）〜図５（ｇ）において、第２の画像メモリ１７に対する（ｍ＋１）番目のフレームの動画像データの上位ビット、および、第３の画像メモリ１８に対する（ｍ＋１）番目のフレームの動画像データの下位ビットの転送が終了し、図５（ｈ）において、第１の画像メモリ１６に対する（ｍ＋２）番目のフレームの動画像データの上位ビット、および、第３の画像メモリ１８に対する（ｍ＋２）番目のフレームの動画像データの下位ビット（ｍ＋２）の転送が始まっていることを示している。
【００２１】
図６は、本実施の形態の液晶表示モジュールにおいて、液晶表示パネル１０のライン走査状態を示す図である。
この図６は、第１の画像メモリ１６ないし第３の画像メモリ１８に格納された画像データの読み出し状態を表しており、図６においても、３は、液晶表示パネル１０に表示される表示画像を模式的に示しており、矢印４は、液晶表示パネル１０の水平ラインの走査中の位置を示す。
図６では、図６（ａ）〜図６（ｂ）において、例えば、第２のメモリ１７から画像データの上位ビット、および、第３のメモリ１８から画像データの下位ビットを読み出し、それぞれフレームのライン走査が行われ、図６（ｃ）〜図６（ｇ）において、第１のメモリ１６から画像データの上位ビット、および、第３のメモリ１８から画像データの下位ビットを読み出し、それぞれのフレームのライン走査が行われ、図６（ｆ）において、第２のメモリ１７から画像データの上位ビット、および、第３のメモリ１８から画像データの下位ビットを読み出し、フレームのライン走査が行われることを示している。
図６（ｆ）、図６（ｇ）に示すように、本実施の形態では、液晶表示パネル１０に表示される表示画像３に入る画像の切り目を、図１０（ｆ）、図１０（ｇ）に示すものよりも低減することができる。
【００２２】
このように、本実施の形態では、ｍ番目のフレームの動画像の画像データの上位ビットを第１の画像メモリ１６に、および画像データの下位ビットを第３の画像メモリ１８に書き込み、その間は、第２の画像メモリ１７から画像データの上位ビット、および第３の画像メモリ１８から画像データの下位ビットを読み出して、液晶表示パネル１０のライン走査を行い、第１のメモリ１６に対する画像データの上位ビット書き込みが終了した後に、（ｍ＋１）番目のフレームの動画像の画像データの上位ビットを第２の画像メモリ１７に、および画像データの下位ビットを第３の画像メモリ１８に書き込み、その間は、第１の画像メモリ１６から画像データの上位ビット、および第３の画像メモリ１８から画像データの下位ビットを読み出して、液晶表示パネル１０のライン走査を行う。
この方式によれば、現在の技術水準の標準的な値として、画像データの転送周期が毎秒１５フレーム以下に対して、液晶表示パネル１０のライン走査周期が毎秒５０フレーム以上であって、画像データの転送周期と液晶表示パネル１０のライン走査周期とが同期されていない場合でも、液晶表示パネル１０に表示される表示画像の切れ目を目立たなくすることができる。
以上、本発明者によってなされた発明を、前記実施の形態に基づき具体的に説明したが、本発明は、前記実施の形態に限定されるものではなく、その要旨を逸脱しない範囲において種々変更可能であることは勿論である。
【００２３】
【発明の効果】
本願において開示される発明のうち代表的なものによって得られる効果を簡単に説明すれば、下記の通りである。
本発明によれば、画像データの転送周期と液晶表示パネルのライン走査周期とが同期されていない場合でも、液晶表示パネルに表示される表示画像の切れ目を目立たなくすることが可能となる。
【図面の簡単な説明】
【図１】本発明の実施の形態１の液晶表示モジュールのシステム構成を示すブロック図である。
【図２】本発明の実施の形態１の液晶表示モジュールにおいて、撮像素子から画像メモリに転送される動画像データの転送状態を示す図である。
【図３】本発明の実施の形態１の液晶表示モジュールにおいて、液晶表示パネルのライン走査状態を示す図である。
【図４】本発明の実施の形態２の液晶表示モジュールのシステム構成を示すブロック図である。
【図５】本発明の実施の形態２の液晶表示モジュールにおいて、撮像素子から画像メモリに転送される動画像データの転送状態を示す図である。
【図６】本発明の実施の形態２の液晶表示モジュールにおいて、液晶表示パネルのライン走査状態を示す図である。
【図７】従来の、撮像素子を搭載した携帯電話機を示す斜視図である。
【図８】従来の、撮像素子を搭載する携帯電話機用の液晶モジュールのシステム構成の一例を示すブロック図である。
【図９】図８に示す液晶表示モジュールにおいて、撮像素子から画像メモリに転送される動画像データの転送状態を示す図である。
【図１０】図８に示す液晶表示モジュールにおいて、液晶表示パネルのライン走査状態を示す図である。
【図１１】従来の、撮像素子を搭載する携帯電話機用の液晶モジュールにおいて、画像データの転送周期と、液晶表示パネルの走査ライン周期とを同期させるためのシステム構成の一例を示すブロック図である。
【符号の説明】
１…移動物体、３…表示画像、１０…液晶表示パネル、１１…ドレインドライバ、１２…ゲートドライバ、２０…電源ＩＣ、３０…マイクロプロセッサ（ＭＰＵ）、４０…撮像素子、５０…バスライン、６０…グラフィックコントローラ。ＬＣＭ…液晶表示モジュール。
【図１】
2004191793.tif 000003
【図２】
2004191793.tif 000004
【図３】
2004191793.tif 000005
【図４】
2004191793.tif 000006
【図５】
2004191793.tif 000007
【図６】
2004191793.tif 000008
【図７】
2004191793.tif 000009
【図８】
2004191793.tif 000010
【図９】
2004191793.tif 000011
【図１０】
2004191793.tif 000012
【図１１】
2004191793.tif 000013